(57)【特許請求の範囲】
【請求項１】
本体キャビネットの前面を開閉する片開き式の外扉を備え、前記外扉に画成され、照明光源により照明される商品展示室を備えた自動販売機において、前記照明光源としての発光ダイオードモジュールを用い、左右方向に延在するとともに前記発光ダイオードモジュールを取付けてなり、かつ、左右両端に回転中心となる軸部とストッパ部材とを有する発光ダイオードユニットと、当該発光ダイオードユニットの左右の軸部をスライド移動自在に保持する調整孔部とこの調整孔部に連通するセット孔部を有し、かつ、前記軸部がセット孔部に嵌合した際にストッパ部材と係合する係合突起を有するとともに前記軸部が調整孔部に位置する際にストッパ部材と係合して発光ダイオードユニットの回転を規制する規制部を有するブラケットとを備えてなることを特徴とする自動販売機。
【請求項２】
請求項１記載の自動販売機において、ブラケットの規制部は調整孔部に平行に形成したフランジであることを特徴とする自動販売機。
【発明の詳細な説明】
【技術分野】
【０００１】
本発明は、自動販売機の前面に画成された商品展示室に商品を展示してなる自動販売機に関する。
【背景技術】
【０００２】
この種の自動販売機として缶入り飲料，ペットボトル入り飲料等の商品を販売する一般的な自動販売機は断熱筐体としてなる本体キャビネットの前面に片開き式の外扉が設けられ、当該外扉には額縁状の窓を形成して商品展示室が形成されている。この商品展示室の前面は透明パネルで覆われて商品展示室に展示された複数の商品見本を外部から視認できるようにされている。前記商品展示室の背面は外扉の背後に開閉自在に設けられた片開き式の中扉で閉塞されている。そして、中扉の前面には本体キャビネットの商品収納庫内に収容した商品に対応した複数の商品見本を左右に一列に並べて載置したディスプレイ台が上下方向に複数段が設置されている。前記ディスプレイ台は下部が開放した断面コ字形に形成され、その内部に照明光源としての蛍光灯が設置されている（例えば、特許文献１）。
【先行技術文献】
【特許文献】
【０００３】
【特許文献１】特開２００７−２９３２３７号公報
【発明の概要】
【発明が解決しようとする課題】
【０００４】
しかしながら、従来の自動販売機は、単色の蛍光灯（蛍光管）によって商品見本を照明しているので、次のような問題を有する。代表的な問題点として、蛍光灯の寿命は平均的に１日１２時間の点灯で約１年と短いことから新しい蛍光灯との交換作業が必要である。また、一台の自動販売機には複数本の蛍光灯が設けられており、複数本の蛍光灯が同時に寿命を尽きることは稀であって、複数本のうちの寿命の尽きた蛍光灯のみを交換した場合には残りの蛍光灯との明るさに差異が生じて見栄えを損なうことがあり、必要に応じて複数本の蛍光灯を同時に交換せねばならない。そこで、蛍光灯に代えて寿命の長い発光ダイオードを用いた種々の提案がなされている。しかるに、自動販売機で販売する商品を変更して商品見本を交換する際、交換する商品見本の高さや大きさが異なる場合があるが、蛍光灯の場合には放射状に光を放射することから蛍光灯を固定的に配設することができる一方、発光ダイオードの場合には指向性を有することから光の照射方向を可調整（例えば、発光ダイオードをユニット化してその軸をねじの弛緩により回転可能）としなければならない。また、蛍光灯の場合には現地（自動販売機の設置場所）において調達することができることから出荷の際や設置場所への輸送の際に自動販売機から外しておくことができるが、発光ダイオードの場合には自動販売機に特有の部品であることから自動販売機に布設しておかねばならない。このため、現地まで輸送する際の振動によってねじが緩んで発光ダイオードが回転して発光ダイオードに接続されたハーネスが断線するおそれがある。この場合、発光ダイオードを自動販売機から外しておくことが考えられるが、現地で組立（発光ダイオードの構造的な組立、および電気的な接続）を行わねばならないことから煩雑であるという課題を有する。
【０００５】
そこで、本発明は上記の点に鑑みなされたものであり、その目的は前記課題を解決し、照明光源を所定位置にセットして位置決め固定することができ、かつ必要に応じて照明光源からの照射方向を任意に調整可能な自動販売機を提供することにある。
【課題を解決するための手段】
【０００６】
上記目的を達成するために請求項１に係る発明は、本体キャビネットの前面を開閉する片開き式の外扉を備え、前記外扉に画成され、照明光源により照明される商品展示室を備えた自動販売機において、前記照明光源としての発光ダイオードモジュールを用い、左右方向に延在するとともに前記発光ダイオードモジュールを取付けてなり、かつ、左右両端に回転中心となる軸部とストッパ部材とを有する発光ダイオードユニットと、当該発光ダイオードユニットの左右の軸部をスライド移動自在に保持する調整孔部とこの調整孔部に連通するセット孔部を有し、かつ、前記軸部がセット孔部に嵌合した際にストッパ部材と係合する係合突起を有するとともに前記軸部が調整孔部に位置する際にストッパ部材と係合して発光ダイオードユニットの回転を規制する規制部を有するブラケットとを備えてなることを特徴とする。
【０００７】
また、請求項２に係る発明は、請求項１に記載の自動販売機において、ブラケットの規制部は調整孔部に平行に形成したフランジであることを特徴とする。
【発明の効果】
【０００８】
本発明の請求項１に係る発明は、本体キャビネットの前面を開閉する片開き式の外扉を備え、前記外扉に画成され、照明光源により照明される商品展示室を備えた自動販売機において、前記照明光源としての発光ダイオードモジュールを用い、左右方向に延在するとともに前記発光ダイオードモジュールを取付けてなり、かつ、左右両端に回転中心となる軸部とストッパ部材とを有する発光ダイオードユニットと、当該発光ダイオードユニットの左右の軸部をスライド移動自在に保持する調整孔部とこの調整孔部に連通するセット孔部を有し、かつ、前記軸部がセット孔部に嵌合した際にストッパ部材と係合する係合突起を有するとともに前記軸部が調整孔部に位置する際にストッパ部材と係合して発光ダイオードユニットの回転を規制する規制部を有するブラケットとを備えてなることにより、発光ダイオードユニットの軸部をブラケットのセット孔部に嵌合させた上で発光ダイオードユニットのストッパ部材を係合突起に係合させることにより発光ダイオードユニットが移動しないように所定位置にセットして位置決め固定することができるので、指向性を有する発光ダイオードユニットからの光の照射方向が予め定められた所定の方向を向くように発光ダイオードユニットを位置決めすることができ、また、設置場所への輸送時にも発光ダイオードユニットは所定位置にセットして位置決め固定されているので、輸送時に発光ダイオードユニットが不測に移動してハーネスの断線を惹起するようなことがなく、さらに、発光ダイオードユニットをブラケットの調整孔部にスライド移動させた上で発光ダイオードユニットを回転軸を中心に回転させることにより発光ダイオードユニットからの光の照射方向を任意の方向に調整することができるとともに発光ダイオードユニットを任意角度に調整しようとした際、誤って発光ダイオードユニットを一回転させるような外力が加えられた場合にもブラッケットの規制部に発光ダイオードユニットのストッパ部材が当接して発光ダイオードユニットの回転を阻止するので、誤操作によって発光ダイオードユニットが回転してハーネスが断線することを防止することができるという効果を有する。
【０００９】
また、本発明の請求項２に係る発明は、請求項１に記載の自動販売機において、ブラケットの規制部を調整孔部に平行に形成したフランジとすることにより、規制部材を簡単な構成により得ることができるとともにブラケットの機械的強度を向上することができるという効果を有する。
【図面の簡単な説明】
【００１０】
【図１】本発明の実施の形態である自動販売機の外扉および中扉を開放した状態を示す斜視図である。
【図２】図１の中扉に取付けられた商品見本のディスプレイ台、発光ダイオードユニット、および発光ダイオードユニットを保持するブラケットを分解して示す前面側斜視図である。
【図３】図２の発光ダイオードユニットに取付けられる照明光源としての発光ダイオードモジュールの斜視図である。
【図４】図２の発光ダイオードユニットとブラケットとの連結を説明するための拡大斜視図である。
【図５】発光ダイオードユニットのセット状態および角度調整を説明するものであり、（ａ）は発光ダイオードユニットの位置決め固定状態を示す説明図、（ｂ）および（ｃ）はそれぞれ発光ダイオードユニットを移動させて照射角度を調整する過程を示す説明図である。
【発明を実施するための形態】
【００１１】
以下、本発明における実施の形態である自動販売機を図面に基づいて説明する。
図１は本発明の実施の形態である自動販売機の全体構成を示す。図において、１は前面が開放した断熱筐体として形成された本体キャビネットである。この本体キャビネット１は底壁（不図示）により上下方向に区画されており、前記底壁により区画された上部領域の商品収納庫内には不図示の断熱仕切壁により左右方向に複数の商品収納室に区分され、各商品収納室には缶入り飲料，ペットボトル飲料等の商品を収容するとともにその下端に商品選択ボタンの操作により指定された商品を搬出する商品払出機構を有する商品収納ラックが収設されている。また、商品収納ラックの下部には前下がりに傾斜した商品搬出シュートが配設され、この商品搬出シュートの背面には当該各商品収納室を冷却もしくは加熱して商品収納ラックに収容した商品を冷却・加熱する冷却／加熱ユニットが配設されている。そして、本体キャビネット１の底壁により区画された下部領域は、前記冷却／加熱ユニットと冷凍サイクルを構成する冷凍機コンデンシングユニットが配設された機械室として形成されている。なお、本体キャビネット１の商品収納庫前面開口は商品搬出扉３ａを備えた片開き式の断熱内扉３により閉塞されている。
【００１２】
前記本体キャビネット１に開閉自在に支持された片開き式の外扉２の前面の上部域には商品展示室４が設けられている。この商品展示室４は外扉２の前面に開口した窓を覆う透明パネル５と外扉２の背面側に開閉自在に支持された中扉６との間に形成されている。前記中扉６の前面には、本体キャビネット１の庫内に収納した商品に対応した複数の商品見本（不図示）が嵌合保持される嵌合穴７Ａ１が左右に一列に並べて形成されたディスプレイ台７が上下方向に３段取付けられている。このディスプレイ台７は下面が開放した箱形に形成され、このディスプレイ台７の内部に後述する照明光源が配設されている。前記透明パネル５には、各ディスプレイ台７と対峙する位置に商品選択ボタンユニット８が設けられ、商品選択ボタンユニット８は、ディスプレイ台７に載置された各商品見本に対応して左右に一列に並べて設けた商品選択ボタンを有している。さらに外扉２０の前面には、硬貨投入口、紙幣挿入口、釣銭返却レバー、硬貨返却口、シリンダー錠付きのハンドルロック装置に加え、商品取出口２ａなどが設けられている。なお、外扉２の背面には硬貨投入口から投入された硬貨の真偽判定を行う硬貨処理装置２ｂ、紙幣挿入口に挿入された紙幣の真偽判定を行う紙幣処理装置２ｃなどが配設されている。
【００１３】
前記中扉６の前面に配設されたディスプレイ台７および照明光源を図２に示す。図２に示すように、ディスプレイ台７は、商品見本を載置する載置台７１と、この載置台７１が上方から被さるように組付けられる固定部材７２とからなる。前記載置台７１は上面部７１１と、この上面部７１１の両端から下方に延在された左右側壁７１２，７１２と、前面部７１３および後面部（不図示）を有して下方が開放する縦断面略「コ」字状に形成されている。前記上面部７１１には略円形の嵌合穴７Ａ１が左右方向に複数、この例では８個並設され、それぞれの嵌合穴７Ａ１に商品見本が嵌合保持される。また、前記載置台７１の左右側壁７１２，７１２にはそれぞれ内側に向かって突出するピン７３が取付けらている。さらに、前記載置台７１の前面部７１３には各商品見本に対応して複数、この例では４個の四角形状の透光穴７Ａ２が設けられ、そして、この前面部７１３の下端には前方側に折り返して形成したガイド部７１３１が長手方向に延在して設けられている。このガイド部７１３１には、図示を省略した透明な合成樹脂フィルムによりなる冷温表示部材，価格表示部材が装着される。
【００１４】
前記載置台７１とともにディスプレイ台７を構成する左右一対の固定部材７２は横断面が略コ字形に形成されている。この固定部材７２の板面には上面に向けて一部が開放した異形溝７２ａが形成されている。この異形溝７２ａの開放部７２ｂは載置台７１の左右側壁７１２，７１２に取付けられたピン７３が通過可能な大きさに形成されており、前記固定部材７２に被せるように載置台７１を組付ける際、異形溝７２ａの開放部７２ｂを通してピン７３が異形溝７２ａ内に挿入される。前記横断面コ字形の固定部材７２における後方側の脚片には切り起こしにより形成した複数（例えば、上下２個）の係止片（不図示）が形成され、この係止片を中扉６に設けた係合穴に挿通係止することによって固定部材７２が中扉６に取付けられる。なお、前述したディスプレイ台７の構造は特許文献１に記載されたディスプレイ台と同一である。
【００１５】
さて、図２において、２０は照明光源を構成する発光ダイオードユニットであり、３０は前記発光ダイオードユニット２０を保持するブラケットである。前記発光ダイオードユニット２０は照明光源としての発光ダイオードモジュール２００と、この発光ダイオードモジュール２００のホルダー２１と、このホルダー２１の左右両端にねじ込まれる化粧ねじ２２とからなる。前記発光ダイオードモジュール２００は、図３に示すように、遮光材からなる短冊状の台座２０１と、拡散用レンズ２０２と、取付金具２０３と、配線接続用コネクタ２０４からなる。前記台座２０１には複数の発光ダイオード素子を実装した回路基板（不図示）が配設されており、当該回路基板に接続された配線接続用コネクタ２０４は拡散用レンズ２０２を貫通して引き出されている。前記発光ダイオードモジュール２００の取付金具２０３の左右両端部はねじ固定部として形成されており、その一方の端部のねじ固定部には寸法誤差を吸収するために開放したねじ挿通穴として形成されている。
【００１６】
前記ホルダー２１は後方に向けて開放した縦断面「コ」字状であって、前記ディスプレイ台７よりも一回り小さい横長の箱形に形成されている。このホルダー２１の左右両端にはストッパ部材２３（図４に拡大して示す）が設けられている。このストッパ部材２３は「コ」字状のホルダー２１の上部脚から左右に延在する突片を折り曲げて形成したものであり、その板面には化粧ねじ２２のねじ孔（雌螺子）２４が設けられるとともに下端（自由端）に凹状の係合溝２５が設けられている。前記「コ」字状のホルダー２１の下部脚には発光ダイードモジュール２００がその照射方向を下方に向けて固着されている。すなわち、発光ダイオードモジュール２００がその取付金具２０３（図３参照）の左右両端部のねじ固定部２０３を介してねじＳ１により前記ホルダー２１の下部脚に固着されている。この実施の形態ではホルダー２１の下部脚に２個の発光ダイオードモジュール２００が固着されており、それぞれの発光ダイオードモジュール２００は配線接続用コネクタ２０４（図３参照）を介して直列接続されている。前記発光ダイオードユニット２０の配線接続用コネクタ２０４を含むハーネスはホルダー２１における「コ」字状に囲まれた空間に敷設されるとともに中扉６の配線穴（不図示）を介して中扉６の背面側に引き回されている。なお、化粧ねじ２２は雄螺子からなる軸部と、この軸部よりも径の大きな化粧頭部からなるものである。
【００１７】
一方、左右一対のブラケット３０は平板状の基板３１と、この基板３１からＬ字状に折り曲げられた取付片３２とからなる。前記取付片３２には中扉６に設けた係合穴に挿通係止するフック片３２１が形成されており、当該フック片３２１を中扉６の係合穴に挿通係止し、中扉６の背面側からねじ穴３２２にねじを螺合させることによってブラケット３０が中扉６に取付けられる。前記ブラケット３０の基板３１には前後方向に延在する調整孔部３３と、この調整孔部３３の先端側であって当該調整孔部３３に連通するとともに下方に延在するセット孔部３４が形成されている。この調整孔部３３とセット孔部３４の幅は発光ダイオードユニット２０の軸部を構成する化粧ねじ２２の軸部が遊嵌されるとともに化粧ねじ２２の化粧頭部よりも狭い幅に形成されている。そして、前記ブラケット３０の基板３１の上縁には内側（対峙して配設される他方のブラケット３０を向く側）に向けて折り曲げられたフランジ３５が形成され、また、セット孔部３４の下方には内側（対峙して配設される他方のブラケット３０を向く側）に向けて円ボス３６が設けられている。前記円ボス３６が係合突起を構成し、以下円ボスを係合突起という。前記フランジ３５は調整孔部３３と略平行に延在し、前記係合突起３６は前記発光ダイオードユニット２０の左右両端に設けたストッパ部材２３の係合溝２５に嵌合可能な大きさに定められている。
【００１８】
前記発光ダイオードユニット２０の中扉６への組付けについて以下に説明する。先ず、左右一対のブラケット３０，３０を、その取付片３２，３２に形成したフック片３２１中扉６の係合穴に挿通係止するとともにねじを介して中扉６の所定位置にそれぞれ取付ける。次いで、発光ダイオードモジュール２００が下方を向く姿勢に保持した発光ダイオードユニット２０を左右一対のブラケット３０，３０の間に位置させた上で、発光ダイオードユニット２０におけるホルダー２１の左右両端に形成したストッパ部材２３，２３のうちの一方のストッパ部材２３に形成したねじ孔２４をブラケット３０の調整孔部３３に対峙させる。この状態でブラケット３０の外側から調整孔部３３を介してストッパ部材２３のねじ孔２４に化粧ねじ２２を螺合させて弛緩した状態にねじ込む。そして、ホルダー２１の他方のストッパ部材２３にも前述した手順により化粧ねじ２２を弛緩した状態にねじ込むと、発光ダイオードユニット２０が左右一対のブラケット３０，３０に仮止めされる。このような仮止め状態においては化粧ねじ２２，２２の軸部がブラケット３０，３０の調整孔部３３，３３をスライド移動自在であるので、発光ダイオードユニット２０を前後に移動させることができる。そこで、発光ダイオードユニット２０を、発光ダイオードモジュール１００が下方を向く姿勢に保持した状態で手前側（中扉６の前方側）に引っ張って化粧ねじ２２，２２の軸部を調整孔部３３，３３に連通するセット孔部３４，３４に落とし込む。このように発光ダイオードユニット２０の発光ダイオードモジュール１００が下方を向く姿勢に保持した状態で化粧ねじ２２，２２の軸部をセット孔部３４，３４に落とし込むのは、化粧ねじ２２，２２の軸部をセット孔部３４，３４に落とし込むと同時にストッパ部材２３，２３の係合溝２５，２５がブラケット３０の係合突起３６，３６に嵌まり込むようにするためである。そして、ストッパ部材２３，２３の係合溝２５，２５がブラケット３０の係合突起３６，３６へ係合した状態を確認した後、左右の化粧ねじ２２，２２を捻じ込むことにより発光ダイオードユニット２０はセット位置に位置決めされる。
【００１９】
前述したように、中扉６にブラケット３０，３０を介して保持された発光ダイオードユニット２０はディスプレイ台７を配設することによって当該ディスプレイ台７に覆われるので、自動販売機の前方からは目視できないようになっている。すなわち、ディスプレイ台７は左右一対のブラケット３０，３０のそれぞれの外側に位置するよう中扉６に取付けられた固定部材７２，７２に載置台７１を結合させることにより組付けられる。前記固定部材７２，７２と載置台７１の結合は、前記載置台７１を固定部材７２，７２の上方から被せるように位置させた上で、固定部材７２，７２の板面に形成された異形溝７２ａ，７２ａに連通した上面に向けて開放した開放部７２ｂ，７２ｂに、前記載置台７１の左右側壁７１２，７１２に取付けられたピン７３，７３を対峙させた後、当該ピン７３，７３を異形溝７２ａ，７２ａの開放部７２ｂ，７２ｂを通過させて異形溝７２ａ内に挿入される。これにより両者が結合されてディスプレイ台７が中扉６に配設される。この場合、発光ダイオートユニット２０がディスプレイ台７よりも一回り小さく形成されている、言い換えれば、載置台７１が発光ダイオートユニット２０よりも一回り大きく形成されているので発光ダイオードユニット２０は載置台７１に囲い込まれる。そして、発光ダイオードユニット２０は載置台７１の前面部７１３の背後に位置するので、自動販売機の前面側からは目視できないようになっている。
【００２０】
なお、中扉６の上端に配設された発光ダイオードユニット２０（図１参照）はディスプレイ台７に覆われることなく露出しているが、これは商品展示室３の上部領域に吊下げられたところのロゴタイプなどを表示する表示部材１００（図２参照）に隠れて自動販売機の前面側から発光ダイオードモジュール７０が見えることはない。
【００２１】
さて、商品展示室４内に上下方向に複数段、この実施の形態では上下方向に３段配設される発光ダイオードユニット２０は、図５の（ａ）に示すように、ブラケット３０，３０にセットされた状態で出荷される。すなわち、発光ダイオードユニット２０の回転軸（化粧ねじ２２の軸部）をブラケット３０，３０のセット孔部３４，３４に合致させるとともに発光ダイオードユニット２０のストッパ部材２３，２３に形成した係合溝２５，２５をブラケット３０，３０の係合突起３６，３６に係合させて発光ダイオードユニット２０が回転しないように位置決め固定された状態で出荷される。したがって、自動販売機の輸送途中において振動などにより発光ダイードユニット２０が回転してハーネスに無理な力が作用して断線してしまうことを防止できる。  そして、自動販売機の設置が完了後、商用電源に接続して発光ダイオードユニット２０に点灯指令を与えると、発光ダイオードユニット２０（発光ダイオードモジュール２００）から照射された光により商品見本などを明るく照明することができる。
【００２２】
また、自動販売機で販売する商品の変更（商品の入れ替え）による商品見本の交換に伴って発光ダイオードユニット２０（発光ダイオードモジュール１００）からの照射方向を変更するような場合には次のような調整作業を行う。すなわち、外扉２および中扉３を開放し、ブラケット３０，３０のセット位置に位置決め固定された発光ダイオードユニット２０の化粧ねじ２２，２２を緩めて仮止め状態とする。そして、図５の（ｂ）に示すように、仮止め状態の発光ダイオードユニット２０を上方に持ち上げて前記化粧ねじ２２，２２の軸部をブラケット２０のセット孔部３４から抜け出させる。次いで、図５の（ｃ）に示すように、発光ダイオードユニット２０を後方に移動させて化粧ねじ２２，２２の軸部をブラケット３０の調整孔部３３に移動させる。このように、化粧ねじ２２，２２の軸部をブラケット３０の調整孔部３３に移動させると、発光ダイオードユニット２０を調整孔部３３に沿って後方へスライド移動させることが可能となるとともに化粧ねじ２２，２２を中心として回転させることが可能となる。そこで、発光ダイオードユニット２０を調整孔部３３の適宜位置に移動させ、当該位置において発光ダイオードユニット２０を回転させて最適な照射角度に調整した上で、化粧ねじ２２，２２を捻じ込む。
【００２３】
ここで、発光ダイオードユニット２０を回転させて照射角度を調整する際、誤って発光ダイオードユニット２０が一回転するような外力を加えられた場合にも、発光ダイオードユニット２０におけるホルダー２１のストッパ部材２３，２３（の上端）がブラケット３０のフランジ３５に当接して発光ダイオードユニット２０のそれ以上の回転を阻止する。したがって、ブラケット３０のフランジ３５がストッパ部材２３，２３と係合して発光ダイオードユニット２０の回転を規制する規制部を構成している。このように、発光ダイオードユニット２０をブラケット３０のセット孔部３４から離脱させてその位置決め固定を解除した場合にも発光ダイオードユニット２０に不測の外力が加えられたとしても発光ダイオードユニット２０が回転してハーネスが断線することを防止するフェールセーフ機能を発揮する。
【００２４】
前述したとおり本発明によれば、本体キャビネット１の前面を開閉する片開き式の外扉２を備え、前記外扉２に画成され、照明光源により照明される商品展示室３を備えた自動販売機において、前記照明光源としての発光ダイオードモジュール２００を用い、左右方向に延在するとともに前記発光ダイオードモジュール２００を取付けてなり、かつ、左右両端に回転中心となる軸部（化粧ねじ２２の軸部）とストッパ部材２３とを有する発光ダイオードユニット２０と、当該発光ダイオードユニット２０の左右の軸部（化粧ねじ２２の軸部）をスライド移動自在に保持する調整孔部３３とこの調整孔部３３に連通するセット孔部３４を有し、かつ、前記軸部（化粧ねじ２２の軸部）がセット孔部３４に嵌合した際にストッパ部材２３と係合する係合突起３６を有するとともに前記軸部（化粧ねじ２２の軸部）が調整孔部３３に位置する際にストッパ部材２３と係合して発光ダイオードユニット２０の回転を規制する規制部（フランジ３５）を有するブラケット３０とを備えてなることにより、発光ダイオードユニット２０の軸部（化粧ねじ２２の軸部）をブラケット３０のセット孔部３４に嵌合させた上で発光ダイオードユニット２０のストッパ部材２３を係合突起３６に係合させることにより発光ダイオードユニット２０が移動しないように所定位置にセットして位置決め固定することができるので、指向性を有する発光ダイオードユニット２０からの光の照射方向が予め定められた所定の方向を向くように発光ダイオードユニット２０を位置決めすることができ、また、設置場所への輸送時にも発光ダイオードユニット２０は所定位置にセットして位置決め固定されているので、輸送時に発光ダイオードユニット２０が不測に移動してハーネスの断線を惹起するようなことがなく、さらに、発光ダイオードユニット２０をブラケット３０の調整孔部３３にスライド移動させた上で発光ダイオードユニット２０を軸部（化粧ねじ２２の軸部）を中心に回転させることにより発光ダイオードユニット２０からの光の照射方向を任意の方向に調整することができ、かつ、発光ダイオードユニット２０を任意角度に調整しようとした際、誤って発光ダイオードユニット２０を一回転させるような外力が加えられた場合にもブラッケット３０の規制部（フランジ３５）に発光ダイオードユニット２０のストッパ部材２３が当接して発光ダイオードユニット２０の回転を阻止するので、誤操作によって発光ダイオードユニット２０が回転してハーネスが断線することを防止することができるという効果を有する。
【符号の説明】
【００２５】
１…本体キャビネット、２…外扉、３…内扉、４…商品展示室、５…透明パネル、６…中扉、７…ディスプレイ台、８…商品選択ボタン、２０…発光ダイオードユニット、２１…ホルダー、２２…化粧ねじ（回転中心の軸部）、２３…ストッパ部材、２５…係合溝、３０…ブラケット、３３…調整孔部、３４…セット穴部、３５…フランジ（規制部）、３６…係合突起、７１…載置台、１００…発光ダイオードモジュール（照明光源）。 
【図１】
0005515882.tif 000002
【図２】
0005515882.tif 000003
【図３】
0005515882.tif 000004
【図４】
0005515882.tif 000005
【図５】
0005515882.tif 000006